(57)【要約】【課題】音による演出を遊技機枠の前側に適切に提供する。【解決手段】中高音ユニット２５は中高音スピーカ１１９が前ユニット容器１１７および後ユニット容器１１８からなるスピーカ容器に内蔵され、中高音ユニット２５は台詞ユニット２６から独立した構造であり、左右の中高音ユニット２５も互いに独立した構造であり、台詞ユニット２６は台詞スピーカ１３８が前ユニット容器１３９および後ユニット容器１４１からなるスピーカ容器に内蔵されて中高音ユニット２５から独立した構造であるので、各中高音スピーカ１１９による振動が互いに影響し合うことが無く、中高音スピーカ１１９による振動と台詞スピーカ１３８による振動とが互いに影響し合うことが無い。【選択図】図１
2007175105.tif 000002
【特許請求の範囲】
【請求項１】
遊技機枠の前扉には複数の音響ユニットが設けられ、複数の音響ユニットは互いに独立した構造であって、各音響ユニットはスピーカをユニット容器に内蔵した構造であることを特徴とする遊技音響装置。
【請求項２】
ユニット容器の前面には放音孔および放音開口部が設けられ、放音孔はスピーカのコーンから前側に放出された音をユニット容器の前側に放出し、放音開口部はスピーカのコーンから後側に放出された音をユニット容器の前側に放出する請求項１記載の遊技音響装置。
【発明の詳細な説明】
【技術分野】
【０００１】
本発明は、音による演出が遊技機枠の前側に適切に提供される遊技音響装置に関する。
【背景技術】
【０００２】
遊技音響装置には、次のような構造のものが知られている。その１つは、遊技機枠の裏側にスピーカとエンクロージャとが一体になったスピーカ構造体を設け、エンクロージャの音をパイプで遊技機枠の前側に誘導して放出するようにした構造であるが、この場合、スピーカ構造体のほかにパイプが必要で、構造が複雑となるという欠点がある。もう１つは、前扉のガラスを振動板として利用した構造であるが、この場合、ガラスの共振周波数が数百ヘルツであるため、低音再生用として使用するには適切でないという欠点がある。さらにもう１つは、圧電式のスピーカを前扉のガラスに接触した構造であるが、この場合、ガラスの共振周波数が数百ヘルツであるため、低音再生用として使用するには適切でないという欠点がある。最後の１つは、圧電式のスピーカを前扉に貼り付けた構造であるが、この場合、ガラスの共振周波数が数百ヘルツであるため、低音再生用として使用するには適切でないという欠点がある。
【特許文献１】特開２００４−２２９１８３号公報
【特許文献２】特開平７−８６０１号公報
【特許文献３】特開平１０−２１６３２５号公報
【特許文献４】特開２００３−１３５８０４号公報
【発明の開示】
【発明が解決しようとする課題】
【０００３】
発明が解決しようとする問題点は、音による遊技の演出が遊技機枠の前側に適切に提供できないという点である。
【課題を解決するための手段】
【０００４】
本発明に係る遊技音響装置は、遊技機枠の前扉には複数の音響ユニットが設けられ、複数の音響ユニットは互いに独立した構造であって、各音響ユニットはスピーカをユニット容器に内蔵した構造であることを最も主要な特徴とする。ユニット容器の前面には放音孔および放音開口部が設けられ、放音孔はスピーカのコーンから前側に放出された音をユニット容器の前側に放出し、放音開口部はスピーカのコーンから後側に放出された音をユニット容器の前側に放出してもよい。
【発明の効果】
【０００５】
本発明に係る遊技音響装置は、各スピーカによる振動が互いに影響し合うことが無く、音響ユニットよる良好な音を遊技者に提供することができるという利点がある。ユニット容器の前面には放音孔および放音開口部が設けられ、放音孔はスピーカのコーンから前側に放出された音をユニット容器の前側に放出し、放音開口部はスピーカのコーンから後側に放出された音をユニット容器の前側に放出すれば、ユニット容器がスピーカに対するエンクロージャとして働くので、スピーカのコーンから拡大して後側に放出された音が放音開口部からユニット容器の前側に放出されるという利点がある。
【発明を実施するための最良の形態】
【０００６】
図１乃至図５は、発明を実施するための最良の形態である。図１は、前扉４を分解して示す。図２は、中高音ユニット２５を分解して示す。図３は、パチンコ遊技機の遊技機枠１および遊技盤３６を分解して示す。図４は、パチンコ遊技機の正面を示す。図５は、遊技機枠１に設けられた遊技音響装置を図４に示すＡ−Ａ線に沿い切断した断面を示す。本明細書において、「前」、「表」、「後」、「裏」、「左」、「右」、「上」、「下」の方向は、図３の状態に遊技機枠１および遊技盤３６を置いて矢印Ｓで示す前側から見た場合に特定される方向である。「前」および「表」は同じ方向である。「後」および「裏」は同じ方向である。
【０００７】
図１を参照し、前扉４の構造について説明する。前扉４は、扉化粧体４Ａおよび扉基盤４Ｂを備える。扉化粧体４Ａは、前扉４における前面の意匠を形成するものであって、前窓部２４Ａと中高音放音孔部４８および台詞放音孔部４９を備える。中高音放音孔部４８は、前窓部２４Ａよりも上部で左右に分かれ、前後方向への貫通孔として設けられる。台詞放音孔部４９は、前窓部２４Ａよりも上部で中央に位置し、前後方向への貫通孔として設けられる。扉化粧体４Ａの裏面には、音を通過させる保護部材９６；９７が個別に設けられる。保護部材９６；９７は、金属からなる網、金属板に多数の貫通孔の開けられたパンチングメタルなどにより構成される。保護部材９６は、複数の中高音放音孔部４８を個別に被覆するものであって、止ねじ９８が保護部材９６の裏側から網目または貫通孔を経由して扉化粧体４Ａの裏面に締結される。これによって、保護部材９６が中高音放音孔部４８を被覆し扉化粧体４Ａの裏面に取り付けられる。保護部材９７は、台詞放音孔部４９を被覆するものであって、止ねじ９９が保護部材９７の裏側から網目または貫通孔を経由して扉化粧体４Ａの裏面に締結される。これによって、保護部材９７が台詞放音孔部４９を被覆し扉化粧体４Ａの裏面に取り付けられる。
【０００８】
扉基盤４Ｂは、前扉４における部品を取り付ける躯体を形成するものであって、後窓部２４Ｂ、取付孔５０、ユニット取付部１００；１０１を備える。取付孔５０は、扉基盤４Ｂの四隅に前後方向への貫通孔として設けられる。ユニット取付部１００は、左右の中高音ユニット２５を個別に取り付けるものであって、扉基盤４Ｂの前面から前側に筒状に突出する。ユニット取付部１０１は、台詞ユニット２６を取り付けるものであって、扉基盤４Ｂの前面から前側に筒状に突出する。そして、タッピングスクリューのような止ねじ１０９が中高音ユニット２５の前側から取付足１１０のねじ挿入孔を経由してユニット取付部１００に締結される。これによって、扉基盤４Ｂの前側には、中高音ユニット２５が取り付けられる。タッピングスクリューのような止ねじ１１４が台詞ユニット２６の前側から取付足１１５のねじ挿入孔を経由してユニット取付部１０１に締結される。これによって、扉基盤４Ｂの前側には、台詞ユニット２６が取り付けられる。
【０００９】
中高音ユニット２５と台詞ユニット２６が扉基盤４Ｂに取り付けられた後、扉化粧体４Ａおよび扉基盤４Ｂが互いに次のように組み立てられる。扉化粧体４Ａの裏面および扉基盤４Ｂの前面が互いに向かい合わせられる。そして、タッピングスクリューのような止ねじ５１が扉基盤４Ｂの裏側から取付孔５０を経由して扉化粧体４Ａの裏面に締結される。これによって、扉化粧体４Ａおよび扉基盤４Ｂが互いに組み立てられ、前窓部２４Ａおよび後窓部２４Ｂが前後方向に繋がって図５の窓２４を構成する。したがって、扉化粧体４Ａが別の意匠を形成したものに交換されても、扉基盤４Ｂが共用することができるという利点がある。扉基盤４Ｂが後窓部２４Ｂを備え、扉化粧体４Ａおよび扉基盤４Ｂが互いに組み立てられた場合、前窓部２４Ａおよび後窓部２４Ｂが前後方向に繋がって前扉４の窓２４を構成しているので、前扉４の剛性が高くなるという利点がある。
【００１０】
図２を参照し、音響ユニットの構造について中高音ユニット２５を例として説明する。図２のａ図において、中高音ユニット２５は、前ユニット容器１１７、後ユニット容器１１８、中高音スピーカ１１９を備える。前ユニット容器１１７は、板状の前壁の周縁部から後側に周壁を突出し、後側に開口した箱形に構成される。後ユニット容器１１８は、板状の後壁の周縁部から前側に周壁を突出し、前側に開口した箱形に構成される。前ユニット容器１１７には、結合部１２０が設けられる。前ユニット容器１１７の前壁には、放音孔１２１およびスピーカ取付部１２２、放音開口部１２３が設けられる。放音孔１２１は、前後方向への貫通孔として形成される。スピーカ取付部１２２および放音開口部１２３は、前後方向への貫通孔と囲む筒体として形成される。後ユニット容器１１８には、取付足１１０が外側に突出して設けられ、結合部１２５が設けられる。後ユニット容器１１８の後壁には、配線孔１２６が前後方向への貫通孔として設けられる。
【００１１】
中高音スピーカ１１９は、円錐形なコーン１２９の後部に音響変換部１３０を備え、コーン１２９の前縁部から外側にフランジ１３１を突出し、フランジ１３１に複数のねじ挿入孔１３２を備え、音響変換部１３０が音響変換部１３０から外側に突出した被覆電線からなる引出線１３３から入力された音電流を機械的な振動に変換してコーン１２９に伝達し、コーン１２９が伝達された振動を中高音波として拡大して放出する。引出線１３３にはコネクタ１３４が設けられる。そして、コーン１２９が前側に向けられるように、中高音スピーカ１１９が前ユニット容器１１７の後側からスピーカ取付部１２２に配置された場合、コーン１２９および音響変換部１３０が前ユニット容器１１７に接触せず、フランジ１３１の前面がスピーカ取付部１２２の裏面に接触する。
【００１２】
そして、タッピングスクリューのような止ねじ１３５が中高音スピーカ１１９の後側からねじ挿入孔１３２を経由してスピーカ取付部１２２に締結される。これによって、中高音スピーカ１１９が、前ユニット容器１１７の前壁から裏側に突出するように、スピーカ取付部１２２に取り付けられる。その後、コネクタ１３４が後ユニット容器１１８の前側から配線孔１２６を経由して後ユニット容器１１８の裏側に通される。次に、前ユニット容器１１７の裏開口と後ユニット容器１１８の前開口とが互いに向かい合わされ、前ユニット容器１１７と後ユニット容器１１８とが互いに合掌状に組み合わせられ、タッピングスクリューのような止ねじ１３６が前ユニット容器１１７の前側から結合部１２０のねじ挿入孔を経由して結合部１２５の内部に締結される。これによって、中高音スピーカ１１９が、前ユニット容器１１７と後ユニット容器１１８とからなるユニット容器の内部に格納され、前ユニット容器１１７に取り付けられる。
【００１３】
図１において、音響ユニットとしての台詞ユニット２６は、中高音ユニット２５と同様に、台詞スピーカ１３８が前ユニット容器１３９の裏面に図外の止ねじで取り付けられ、台詞スピーカ１３８の被覆電線からなる引出線１４０が後ユニット容器１４１の裏側に引き出され、前ユニット容器１３９と後ユニット容器１４１とが台詞スピーカ１３８を内部に格納するように組み合わせられて図外の止ねじで結合された構造である。そして、台詞スピーカ１３８から放出された台詞は、前ユニット容器１３９の前壁に前後方向への貫通孔として設けられた放音孔１４２から前ユニット容器１３９の前側に放出される。引出線１４０にはコネクタ１４３が設けられる。
【００１４】
図３を参照し、パチンコ遊技機の構造について説明する。遊技機枠１は、固定枠２の前側に可動枠３を開閉可能に備え、可動枠３の前側に前扉４および皿構造体５を開閉可能に備える。固定枠２は、パチンコ遊技機を設置する遊技店の島と呼ばれる遊技機設置設備に固定される外枠とも呼ばれる。可動枠３は、遊技盤３６や図外の制御装置など遊技に必要な部品を取り付ける前枠とも呼ばれる。可動枠３は、左側に位置するヒンジ６を中心とし、固定枠２の前側で前側に開かれかつ後側に閉じられるように、片開き可能であって、盤収容部７、中央開口部８、盤後側押出部９、盤前側受止部１０、盤掛止操作体１１、盤棚１２、球発射機構１３、球発射レール１４、戻り球取入口１５、前横樋１６、機外排出樋１７、施錠装置１８、掛止機構１９；２０；２１および掛止解除操作体２２が設けられる。盤収容部７は、遊技盤３６を可動枠３の前側から格納させるように、前側に開口した方形な箱形である。中央開口部８は、盤収容部７の背壁に、前後方向への貫通孔として形成される。
【００１５】
盤後側押出部９は、遊技盤３６を前側に押す板ばねのような弾性体である。盤前側受止部１０は、盤後側押出部９で前側に押された遊技盤３６を受け止める突起である。盤後側押出部９が後側で盤前側受止部１０が前側となるように、盤後側押出部９および盤前側受止部１０が盤収容部７の左側部に設けられる。盤掛止操作体１１は、盤収容部７の背壁から前側に突出し、盤収容部７の背壁と平行な方向に回転可能に、盤収容部７の右側部に設けられる。盤棚１２は、遊技盤３６を搭載する左右方向に平坦な面として、盤収容部７の下縁部により形成される。球発射機構１３、球発射レール１４、戻り球取入口１５、前横樋１６は、盤棚１２から下側に延設された前壁の前面に設けられる。機外排出樋１７は、盤棚１２から下側に延設された前壁の裏面に設けられる。施錠装置１８、掛止機構１９；２０；２１、掛止解除操作体２２は、可動枠３の右側部に設けられる。
【００１６】
前扉４および皿構造体５は、個別に、左側に位置するヒンジ２３を中心とし、可動枠３の前側で前側に開かれかつ後側に閉じられるように、片開き可能である。前扉４は、パネル枠とも呼ばれ、前後方向に貫通する窓２４を囲む額縁形状である。前扉４の裏面には、パネル構造体２７および掛止部材２８が設けられる。パネル構造体２７は、左側に位置するヒンジ２９を中心とし、前扉４の裏側で裏側に開かれかつ前側に閉じられるように、片開き可能である。パネル構造体２７が閉じられて前扉４に掛止部材２８で開閉不能に支持されると、パネル構造体２７が窓２４を裏側から塞ぐ。
【００１７】
皿構造体５の前面には、受皿部３１および発射操作機構３２が設けられる。皿構造体５の裏面には、球取入口３３および球供給口３４が設けられる。皿構造体５が閉じられた場合、球発射機構１３と球発射レール１４と戻り球取入口１５および前横樋１６が、皿構造体５で覆い隠される。可動枠３が閉じられて固定枠２に掛止機構１９で開閉不能に支持され、前扉４および皿構造体５が閉じられて可動枠３に掛止機構２０；２１で開閉不能に支持された状態において、遊技店の店員が図外のキープレート（鍵）を遊技機枠１の前側から施錠装置１８の鍵穴に挿入し、当該キープレートを例えば右側に９０度回転操作すると、固定枠２と可動枠３との掛止機構１９による支持形態が解除される。この支持形態の解除後に、遊技店の店員が可動枠３を前側に引くことによって、可動枠３はヒンジ６を中心として前側に片開きされる。また、上記施錠装置１８の鍵穴に挿入されたキープレートが例えば左側に９０度回転操作されると、可動枠３と前扉４との掛止機構２０による支持形態が解除される。この支持形態の解除後に、遊技店の店員が前扉４を前側に引くことによって、前扉４はヒンジ２３を中心として前側に片開きされる。
【００１８】
遊技盤３６の遊技領域は、遊技盤３６の前面の内ガイドレール３７および外ガイドレール３８で囲まれた内側の部分であって、遊技機枠１の前側から窓２４およびパネル構造体２７を経由して視認される。遊技領域には、入賞部品３９、センター飾り４０、アウト口４１、発射通路４２、図外の遊技釘その他遊技部品が設けられる。発射通路４２は、内ガイドレール３７の左側部と外ガイドレール３８の左側部との間の隙間によって形成される。入賞部品３９は、一般入賞部品、始動入賞部品、可変入賞部品などである。その他遊技部品とは、風車、サイドランプ、フィギャー、キャラクター、保留数表示器などである。遊技盤３６の右側部には、取付部４３が上下に分かれて設けられる。取付部４３には、取付孔４４が前後方向への貫通孔として設けられる。下部の取付部４３は、遊技盤３６の前面に設けられた証紙台４５が閉じられると、証紙台４５で覆い隠される。
【００１９】
そして、前扉４が少なくとも前側に開かれた状態において、遊技盤３６の左側部が可動枠３の前側から盤後側押出部９と盤前側受止部１０との間に挿入され、遊技盤３６の右側部が遊技店の店員によって前側から後側に押され、盤掛止操作体１１が遊技盤３６の裏側から取付孔４４に挿入され、遊技店の店員が遊技盤３６の前側に突出した盤掛止操作体１１を例えば９０度回転操作することによって、盤掛止操作体１１が遊技盤３６の前面に掛け止められ、遊技盤３６の遊技領域が前側に向けられ、遊技盤３６が可動枠３の内部における盤収容部７に装着される。そして、閉じられた前扉４が可動枠３に掛止機構２０で開閉不能に支持されることによって、遊技盤３６の遊技領域が遊技機枠１の窓２４およびパネル構造体２７を通して見える形態となる。その後、遊技店の店員がキープレートを施錠装置１８の鍵穴から前側に抜き取る。
【００２０】
図４を参照し、前扉４および皿構造体５が閉じられた遊技機枠１の正面の構造について説明する。前扉４の前面には、中高音放音孔部４８や台詞放音孔部４９が、窓２４よりも上部で左右に分かれて設けられる。そして、図外の制御装置が電力供給を受けて起動し、パチンコ球と呼ばれる球が受皿部３１に入れられ、遊技者が発射操作機構３２を操作し、発射操作機構３２から操作量に相当する電気的な出力が制御装置に入力され、制御装置が球発射機構１３を駆動すると、球発射機構１３が受皿部３１から球供給口３４を経由して球発射レール１４に供給された球を１個ずつ発射操作機構３２による操作量に応じた機械的な出力で遊技盤３６の遊技領域に向けて発射する。遊技領域に発射された球が入賞部品３９に入賞し、図外の球検出器が入賞部品３９に入賞した球を検出した入賞信号を制御装置に出力し、制御装置が入賞信号に基づき中高音ユニット２５や台詞ユニット２６を駆動すると、中高音や台詞が前扉４の上部における中高音放音孔部４８や台詞放音孔部４９から前側に放出される。例えば、図５に示すように、中高音ユニット２５から前側に放出された音は、空気の振動による音の矢印Ｘ１で示す伝達路により、中高音放音部４８を経由して前扉４の斜め下方前側に向けて放出される。台詞ユニット２６から前側に放出された音は、図５に図示はしていないが、空気の振動による音の伝達路により、台詞音放音部４９（図４参照）を経由して前扉４の中央上部から斜め下方前側に放出される。
【００２１】
最良の形態によれば、図１に示すように、音響ユニットとしての中高音ユニット２５および台詞ユニット２６が、互いに独立した構造になっている。つまり、中高音ユニット２５は、中高音スピーカ１１９が前ユニット容器１１７および後ユニット容器１１８からなるユニット容器に内蔵され、台詞ユニット２６から独立した構造である。しかも、左右の中高音ユニット２５も互いに独立した構造である。台詞ユニット２６は、台詞スピーカ１３８が前ユニット容器１３９および後ユニット容器１４１からなるユニット容器に内蔵され、中高音
ユニット２５から独立した構造である。よって、左右の中高音ユニット２５が互いに独立した構造であり、台詞ユニット２６からも独立した構造であるので、各中高音スピーカ１１９による振動が互いに影響し合うことが無く、中高音スピーカ１１９による振動と台詞スピーカ１３８による振動とが互いに影響し合うことが無い。よって、音響ユニットよる良好な音を遊技者に提供することができるという利点がある。また、図２において、中高音ユニット２５では、前ユニット容器１１７および後ユニット容器１１８からなるユニット容器が中高音スピーカ１１９に対するエンクロージャとして働くので、中高音スピーカ１１９のコーン１２９から拡大して前側に放出された音は、放音孔１２１からユニット容器の前側に放出され、中高音スピーカ１１９のコーン１２９から拡大して後側に放出された音は、放音開口部１２３からユニット容器の前側に放出される。
【産業上の利用可能性】
【００２２】
台詞ユニット２６を設けなくてよい。中高音ユニット２５を設ける位置は、窓２４に対し、上部に限定されるものではない。
【図面の簡単な説明】
【００２３】
【図１】前扉の分解斜視図（最良の形態）。
【図２】中高音ユニットの分解斜視図（最良の形態）。
【図３】パチンコ遊技機の分解斜視図（最良の形態）。
【図４】パチンコ遊技機の正面図（最良の形態）。
【図５】図４のＡ−Ａ線断面図（最良の形態）。
【符号の説明】
【００２４】
１      遊技機枠
２５    中高音ユニット
２６    台詞ユニット
１１７  前ユニット容器
１１８  後ユニット容器
１１９  中高音スピーカ
１２１  放音孔
１２２  スピーカ取付部
１２３  放音開口部
１３８  台詞スピーカ
１３９  前ユニット容器
１４１  後ユニット容器
１４２  放音孔
【図１】
2007175105.tif 000003
【図２】
2007175105.tif 000004
【図３】
2007175105.tif 000005
【図４】
2007175105.tif 000006
【図５】
2007175105.tif 000007